(57)【要約】【課題】  回路や制御を複雑にすることなく、また、照明装置を高価にすることなく、張り合わせ原稿における端部に生じる黒い筋（影）の発生を防止できるような光源を備えた画像読取装置を提供する。【解決手段】  原稿を載置するコンタクトガラス上に載置された原稿を照明する光源と、該光源で照明された原稿画像をラインセンサを用いた読み取り素子に結像させる光学系とからなる画像読取装置において、前記光源は、ラインセンサにおける読み取り方向である主走査方向への光学系光軸を挟み、前記コンタクトガラスにおける前記光学系光軸位置で同じ照度になるよう両側に配置された複数の発光ダイオードで構成した。【選択図】      図１
2006178237.tif 000002
【特許請求の範囲】
【請求項１】
原稿を載置するコンタクトガラス上に載置された原稿を照明する光源と、該光源で照明された原稿画像をラインセンサを用いた読み取り素子に結像させる光学系とからなる画像読取装置において、
前記光源は、ラインセンサにおける読み取り方向である主走査方向への光学系光軸を挟み、前記コンタクトガラスにおける前記光学系光軸位置で同じ照度になるよう両側に配置された複数の発光ダイオードで構成されていることを特徴とする画像読取装置。
【請求項２】
前記発光ダイオードは、前記光学系光軸を挟んで千鳥状に配置されていることを特徴とする請求項１に記載した画像読取装置。
【請求項３】
前記発光ダイオードは発光ダイオード搭載板に搭載され、該発光ダイオード搭載板は、前記主走査方向と直交する副走査方向へ移動可能に構成されていることを特徴とする請求項１または２に記載した画像読取装置。
【請求項４】
前記発光ダイオードは、前記発光ダイオード搭載板上で前記主走査方向に個別に移動可能に構成されていることを特徴とする請求項３に記載した画像読取装置。
【請求項５】
前記発光ダイオード搭載板は、前記主走査方向に複数に分割されてそれぞれに複数の発光ダイオードを搭載し、個別に副走査方向へ移動可能に構成されていることを特徴とする請求項３または４に記載した画像読取装置。
【発明の詳細な説明】
【技術分野】
【０００１】
本発明は、複写機やファクシミリなどにおける原稿読取装置に関し、特に、原稿を照明する光源と、該光源で照明された原稿をレンズによってＣＣＤ等を用いたラインセンサなどに結像させ、読み取るよう構成した画像読取装置に関するものである。
【背景技術】
【０００２】
複写機やファクシミリなどにおける読取装置に用いられる原稿を読み取るための光学系としては、例えば原稿を載置するコンタクトガラスの下に、原稿画像を反射して送るための反射ミラー等を設けて移動可能に構成した第１の移動体と、該第１の移動体上の反射ミラーから送られる原稿画像を、レンズを介してＣＣＤ等を用いたラインセンサなどに結像させるための反射ミラーを有し、原稿からレンズまでの光路長を一定にするよう、第１の移動体の移動方向に半分の速度で移動できるようにした第２の移動体とで構成されたものや、コンタクトガラスの直下にＣＣＤ等を用いたラインセンサなどを配して読み取るようにしたものなどがある。
【０００３】
そして、コンタクトガラス面上に載置された原稿を照明する光源としては、ハロゲンランプやキセノンランプなどの棒状の光源、または特許文献１に示されているように、発光ダイオード（以下ＬＥＤと略称する）などの点光源を複数個、画像読み取り用のラインセンサにおけるＣＣＤなどのセンサの配列方向（以下この方向を主走査方向と称する）に平行に配列し、それぞれのＬＥＤに光量調整回路を設けて光量ムラを無くしながら照明するようにした構造が知られている。
【０００４】
【特許文献１】特開２００２−３１４７６０号公報
【発明の開示】
【発明が解決しようとする課題】
【０００５】
しかしながら、これらハロゲンランプやキセノンランプなどの棒状の光源、または特許文献１に示されているようなＬＥＤなどの点光源を用いた光源では、例えば図６に示したように、コンタクトガラス１４面上に載置した基準原稿１６にその他の原稿１７を貼り合わせて１つの原稿にしたような厚みのある原稿１５の場合、その他の原稿１７における端部１８が読み取り光学系の光軸１０近傍に位置すると、ＬＥＤ１１による照明光１３が端部１８を照明できず、読取画像ではその他の原稿１７の端部に黒い筋（影）が発生してしまう。
【０００６】
また、特許文献１に示された照明手段では、それぞれのＬＥＤに光量調整回路を設けて光量ムラを無くすようにしているため、回路及び制御が複雑になっていた。
【０００７】
そのため本発明においては、回路や制御を複雑にすることなく、また、照明装置を高価にすることなく、図６に示したような張り合わせ原稿における端部に生じる黒い筋（影）の発生を防止できるような光源を備えた画像読取装置を提供することが課題である。
【課題を解決するための手段】
【０００８】
上記課題を解決するため本発明における画像読取装置は、
原稿を載置するコンタクトガラス上に載置された原稿を照明する光源と、該光源で照明された原稿画像をラインセンサを用いた読み取り素子に結像させる光学系とからなる画像読取装置において、
前記光源は、ラインセンサにおける読み取り方向である主走査方向への光学系光軸を挟み、前記コンタクトガラスにおける前記光学系光軸位置で同じ照度になるよう両側に配置された複数の発光ダイオードで構成されていることを特徴とする。
【０００９】
このように光源として発光ダイオードを用い、かつ、この発光ダイオードを、光学系光軸を挟んでコンタクトガラスにおける光学系光軸位置で同じ照度になるよう両側に配置することで、前記したような張り合わせ原稿における端部に生じる黒い筋（影）の発生を防止することが可能となる。また、光学系光軸両側に配置した発光ダイオードは、光学系光軸に平行に一列に配置した場合と同じ照度を得るためには、単に一列の発光ダイオードを光学系光軸両側に分散して配置するだけで良く、駆動回路や制御回路は変更したり増やしたりする必要がないから、価格を上昇させることなく良好な読み取り結果が得られる画像読取装置を提供することが可能となる。
【００１０】
そして、前記発光ダイオードは、前記光学系光軸を挟んで千鳥状に配置することで、光学系光軸位置をムラ無く照明することができる。
【００１１】
また、前記発光ダイオードは発光ダイオード搭載板に搭載され、該発光ダイオード搭載板は、前記主走査方向と直交する副走査方向へ移動可能に構成され、さらに、前記発光ダイオードは、前記発光ダイオード搭載板上で前記主走査方向に個別に移動可能に構成することにより、回路や制御を複雑にすることなく、コンタクトガラスにおける光学系光軸位置両側で同じ照度となるよう容易に調整することができ、また価格を上昇させることなく良好な読み取り結果が得られる画像読取装置を提供することが可能となる。
【００１２】
そして、前記発光ダイオード搭載板は、前記主走査方向に複数に分割されてそれぞれに複数の発光ダイオードを搭載し、個々に副走査方向へ移動可能に構成することで、それぞれの発光ダイオード搭載板で主走査方向、副走査方向への調整が可能となり、調整がより簡単に行えるようになる。
【００１３】
以上記載のごとく本発明によれば、回路や制御を複雑にすることなく、また、光源を高価にすることなく、前記したような張り合わせ原稿における端部に生じる黒い筋（影）の発生を防止できる画像読取装置を提供することができる。
【発明を実施するための最良の形態】
【００１４】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００１５】
図１は本発明になる画像読取装置における光源の実施例１の斜視図、図２はこの実施例１の光源を構成する部品の分解図、図３は本発明になる画像読取装置における光源の実施例２の斜視図、図４は本発明になる画像読取装置における光源の実施例３の斜視図、図５は本発明になる画像読取装置における光源を用いた原稿照明の状態を示した図である。
【００１６】
本発明になる画像読取装置における光源を用いた原稿照明の状態を示した図５を参照して画像読取装置の概要を説明する。本発明になる画像読取装置は、原稿画像を画像信号に変換するための図示していないＣＣＤ等で構成されたラインセンサへ、直接またはレンズなどを介して原稿画像を結像させる光学系における光軸１０の両側に、発光ダイオード（以下ＬＥＤと略称する）１１を図示していないラインセンサの走査方向である主走査方向に平行に配し、光軸１０の両側から１２、１３のようにコンタクトガラス１４上に載置された原稿１５を照明できるようにしたものである。
【００１７】
このように光軸１０の両側から照明することで、従来例として説明した前記図６に示したような基準原稿１６にその他の原稿１７を貼り合わせて１つの原稿にしたような厚みのある原稿１５でも、その他の原稿１７の端部１８側にも照射光１２が当たるから、従来のようにその他の原稿１７の端部１８に照明光が当たらずに黒い線になるということが防止できる。
【００１８】
また、光学系の光軸１０の両側に配置した発光ダイオード１１は、光学系の光軸１０を挟んでコンタクトガラス１４における光軸１０の位置で同じ照度になるよう配置するが、例えば光軸１０に平行に一列に配置した場合と同じ照度を得るためには、単に一列の発光ダイオードを光軸１０の両側に分散して配置するだけで良く、駆動回路や制御回路は変更したり増やしたりする必要がないから、価格を上昇させることなく良好な読み取り結果が得られる画像読取装置を提供することが可能となる。
【００１９】
そしてこの発光ダイオード１１を、主走査方向とその主走査方向に直交する副走査方向に移動可能に構成することで、光軸１０における照度を容易に調整でき、従来技術のように駆動回路や制御回路を複雑にすることなく、均一な照度を容易に得ることができる。
【実施例１】
【００２０】
図１は、このような考え方に基づいて構成した本発明になる画像読取装置における光源ユニットの実施例１の斜視図であり、図２はこの実施例１の光源ユニット２０を構成する部品の分解図で、この図１、図２おいては、図５で説明したのと同じ部品には同一番号を付してある。
【００２１】
１０は画像読取装置に配置された光学系の光軸であり、前記したように画像読取装置の原稿を読み取るための図示していないＣＣＤ等で構成されたラインセンサへ、直接またはレンズなどを介して原稿画像を結像させる光学系の光軸である。１１１、１１２はこの光軸１０の両側に設けられた光源としての照明用ＬＥＤ、そして２１はスリット調整板２２に設けられた窓（スリット）で、この窓２１の中心が前記光軸１０と一致している。そしてこの光軸１０の両側に設けられた照明用ＬＥＤで照明された原稿の画像は、この窓２１を通り、図示していないラインセンサに直接結像するか、あるいはこの窓２１の下に設置された反射鏡およびレンズなどを介してラインセンサ（図示せず）へ画像が送られる。
【００２２】
２３１、２３２は光源としてのＬＥＤ１１１、１１２を載置する発光ダイオード載置板であり、前述したスリット調整板２２の上にこれらのＬＥＤ１１１、１１２を載置し、ネジ２４１、２４２、２４３、２４４でスリット調整板２２上の位置を調節できるような構成となっている。この発光ダイオード載置板は窓の両側に形成され、第１と第２の発光ダイオード搭載板を構成している。そして図中２５は、位置調整ピン２６１、２６２が植立されてスリット調整板２２における長孔２７１、２７２が填め込まれ、ネジ２８１、２８２によってスリット調整板２２における副走査方向への位置を調整しながら固定できるようにした基台である。
【００２３】
このうち図２に示したように基台２５には、前記した位置調整ピン２６１、２６２以外にも、スリット調整板２２に設けられた窓２１が左右に移動した場合、原稿画像をラインセンサに送り出せるように窓２１より大きく開口させた開口２９、スリット調節板２２を固定するネジ２８１、２８２を螺合させるタップ孔３０１、３０２、スリット調整板２２に搭載されている第１、第２の発光ダイオード搭載板２３１、２３２を固定するネジ２４１、２４２、２４３、２４４の先端を逃がす孔３１１、３１２、３１３、３１４、第１、第２の発光ダイオード搭載板２３１、２３２上に固定されるＬＥＤ１１１、１１２を固定するネジ３２１、３２２の先端を逃がすために副走査方向を長手方向とした長孔３３１、３３２等が設けられている。
【００２４】
またスリット調整板２２には、前記した窓２１、長孔２７１、２７２以外に、基台２５の場合と同様、第１、第２の発光ダイオード搭載板２３１、２３２に搭載するＬＥＤ１１１、１１２を固定するネジ３２１、３２２の先端を逃がすために副走査方向を長手方向とした長孔３４１、３４２、及び第１、第２の発光ダイオード搭載板２３１、２３２を固定するネジ２４１、２４２、２４３、２４４を螺合させるタップ孔３５１、３５２、３５３、３５４が設けられ、さらに第１、第２の発光ダイオード搭載板２３１、２３２には、ＬＥＤ１１１、１１２を固定するネジ３２１、３２２が螺合するタップ孔３６１、３６２が、ＬＥＤ１１１、１１２には、ネジ３２１、３２２による位置調整用の主走査方向を長手方向とした長孔３７１、３７２、及び、ＬＥＤ１１１、１１２の位置調整用ピン孔４０１、４０２が設けられている。なお、図１に３８、３９で示した矢印は、原稿画像の読み取り時における主走査方向（３８）と副走査方向（３９）を示している。
【００２５】
このように構成した光源ユニット２０は、前記図５に示したように複写したり送信したりする原稿を載置するコンタクトガラス１４の下に設けられ、コンタクトガラス１４上に白紙原稿を載置し、左右のＬＥＤ１１１、１１２により照射された白色原稿の反射光を、図示していないラインセンサで受けて次のようにして光軸１０の位置へ達する光量（すなわち図示していないラインセンサへ達する光量）が均等になるよう調整する。
【００２６】
まず上記したようにコンタクトガラス１４上に白紙原稿を載置し、図１に示したスリット調整板２２を固定するネジ２８１、２８２を緩めて例えば図上右のＬＥＤ１１２を点灯し、スリット調整板２２を位置調整ピン２６１、２６２に沿って３９で示した副走査方向に移動させ、図示していないラインセンサで光量を検出して、照射最大光量の９０％となる位置でネジ２８１、２８２により固定する。
【００２７】
次に図上左のＬＥＤ１１１を点灯し、第１の発光ダイオード搭載板２３１を３９で示した副走査方向に移動させて図示していないラインセンサで光量を検出し、コンタクトガラス１４面上の光軸１０の位置で照射最大光量の９０％となる位置を探し、ネジ２４１、２４２により固定する。
【００２８】
その後、３８で示した主走査方向の配光を確認し、リップル等の光量ムラが発生している場合は、光量ムラのあるＬＥＤ１１１、１１２における位置調整用ピン孔４０１、４０２に調整ピンを差し込み、３８で示した主走査方向に個別に移動させて、光量ムラが発生しない位置でネジ３２１、３２２を用いて固定する。
【００２９】
そして再度左右のＬＥＤ１１１、１１２を交互に点灯させ、コンタクトガラス１４面上の光軸１０で照射最大光量の９０％となっているかどうかを確認し、最後に両ＬＥＤ１１１、１１２を全て点灯させて、コンタクトガラス１４面上の光軸１０での照射光量が、予め定めた閾値以上であれば調整は終了する。しかし、この値が閾値以下である場合、第１と第２の発光ダイオード搭載板２３１、２３２を再度調整し、照射光量が閾値以上になるよう設定して終了する。
【００３０】
このようにして、左右のＬＥＤ１１１、１１２により光軸１０へ達する光量（すなわち図示していないラインセンサへ達する光量）を均等にすることにより、個々のＬＥＤ１１１、１１２のそれぞれに対して光量制御のための回路を設けることなく、均一な光量でコンタクトガラス１４面上に載置された原稿１５を照射することができる。
【実施例２】
【００３１】
図３は、本発明になる画像読取装置における光源ユニットの実施例２の斜視図であり、前記した実施例１においては、左右に設けたＬＥＤ１１１、１１２をそれぞれ個々に主走査方向に位置調整可能なように構成したが、この実施例２では光学系の光軸１０の左、右のそれぞれに配した発光ダイオード全体を主走査方向に移動できるようにし、調整作業を簡略化できるようにしたものである。
【００３２】
図中、前記図１に示した実施例１と同様な構成要素には同一番号が付してあり、１０は前記したように画像読取装置の原稿を読み取るための図示していないＣＣＤ等で構成されたラインセンサへ、直接またはレンズなどを介して原稿画像を結像させる光学系における光軸、５０は実施例２の光源ユニット、５１１、５１２はその光軸１０の両側に設けられた照明用ＬＥＤ、５２はＬＥＤ５１１、５１２で照明された原稿の画像を図示していないラインセンサへ送るためにスリット調整板５３に設けられた窓で、前記したようにこの窓５２の下には、直接ラインセンサが設置されたり、反射鏡が設置されてレンズなどを介してラインセンサへ画像が送られる。
【００３３】
５４１、５４２はこのスリット調整板５３の上にＬＥＤ５１１、５１２を載置し、ネジ５５１、５５２、５５３、５５４、５５５、５５６でスリット調整板５３上の位置を調節できるようにされた第１と第２の発光ダイオード搭載板、２５は位置調整ピン２６１、２６２が植立されてスリット調整板５３における長孔５６１、５６２が填め込まれ、ネジ２８１、２８２によってスリット調整板５３における副走査方向への位置を調整しながら固定できるようにした基台である。
【００３４】
このうち基台２５には図示はされていないが、前記した位置調整ピン２６１、２６２以外にもスリット調整板５３に設けられた窓５２が左右に移動した場合、原稿画像をラインセンサに送り出せるように窓５２より大きく開口させた開口や、スリット調節板５３を固定するネジ２８１、２８２を螺合させるタップ孔、スリット調整板５３に搭載されている第１、第２の発光ダイオード搭載板５４１、５４２を固定するネジ５７１、５７２、５７３、５７４の先端を逃がす孔、第１、第２の発光ダイオード搭載板５４１、５４２上に固定されるＬＥＤ５１１、５１２を固定するネジ５５１、５５２の先端を逃がすために副走査方向を長手方向とした長孔等が設けられている。
【００３５】
またスリット調整板５３には、前記した窓５２、長孔５６１、５６２以外に、基台２５の場合と同様、第１、第２の発光ダイオード搭載板５４１、５４２に搭載するＬＥＤ５１１、５１２を固定するネジ５５１、５５２、５５３、５５４、５５５、５５６の先端を逃がすために副走査方向を長手方向とした長孔、及び第１、第２の発光ダイオード搭載板５４１、５４２を固定するネジ５７１、５７２、５７３、５７４を螺合させるタップ孔、及び発光ダイオード５１１、５１２を主走査方向３８に移動できるよう、第１、第２の発光ダイオード搭載板５４１、５４２に植立された位置調整ピン５９１、５９２、５９３、５９４が填め込まれる主走査方向を長手方向として設けられた長孔５８１、５８２、５８３、５８４が、さらに第１、第２の発光ダイオード搭載板５４１、５４２には、ＬＥＤ５１１、５１２を固定するネジ５５１、５５２、５５３、５５４、５５５、５５６が螺合するタップ孔とが設けられている。なお、３８、３９で示した矢印は、原稿画像の読み取り時における主走査方向（３８）と副走査方向（３９）を示している。
【００３６】
このように構成した光源ユニット５０は、前記図５に示したように複写したり送信したりする原稿を載置するコンタクトガラス１４の下に設けられ、コンタクトガラス１４上に白紙原稿を載置し、左右のＬＥＤ５１１、５１２により照射された白色原稿の反射光を、図示していないラインセンサで受けて次のようにして光軸１０の位置へ達する光量（すなわち図示していないラインセンサへ達する光量）が均等になるよう調整する。
【００３７】
まず上記したようにコンタクトガラス１４上に白紙原稿を載置し、図３に示したスリット調整板５３を固定するネジ２８１、２８２を緩めて例えば図上右のＬＥＤ５１２を点灯し、スリット調整板５３を位置調整ピン２６１、２６２に沿って３９で示した副走査方向に移動させ、図示していないラインセンサで光量を検出して、照射最大光量の９０％となる位置でネジ２８１、２８２により固定する。
【００３８】
次に図上左のＬＥＤ５１１を点灯し、第１の発光ダイオード搭載板５４１を３９で示した副走査方向に移動させて図示していないラインセンサで光量を検出し、コンタクトガラス１４面上の光軸１０の位置で照射最大光量の９０％となる位置を探し、ネジ５４１、５４２により固定する。
【００３９】
その後、３８で示した主走査方向の配光を確認し、リップル等の光量ムラが発生している場合は、光量ムラのあるＬＥＤ５１１、５１２におけるネジ５５１、５５２、５５３、５５４、５５５、５５６を３８で示した主走査方向に移動させて、光量ムラが発生しない位置でネジ５５１、５５２、５５３、５５４、５５５、５５６を用いて固定する。
【００４０】
そして再度左右のＬＥＤ５１１、５１２を交互に点灯させ、コンタクトガラス１４面上の光軸１０で照射最大光量の９０％となっているかどうかを確認し、最後に両ＬＥＤ５１１、５１２を全て点灯させて、コンタクトガラス１４面上の光軸１０での照射光量が、予め定めた閾値以上であれば調整は終了する。しかし、この値が閾値以下である場合、第１と第２の発光ダイオード搭載板５４１、５４２を再度調整し、照射光量が閾値以上になるよう設定して終了する。
【００４１】
このようにして、左右のＬＥＤ５１１、５１２により光軸１０へ達する光量（すなわち図示していないラインセンサへ達する光量）を均等にすることにより、ＬＥＤ５１１、５１２のそれぞれに対して光量制御のための回路を設けることなく、均一な光量でコンタクトガラス１４面上に載置された原稿１５を照射することができる。
【実施例３】
【００４２】
図４は、本発明になる画像読取装置における光源ユニットの実施例３の斜視図であり、前記した実施例２においては、左右に設けたＬＥＤ５１１、５１２全体を主走査方向に移動できるようにして調整作業を簡略化したが、主走査方向の光量調整がそれでは難しい場合に備え、ＬＥＤをブロック化して左右それぞれ複数の発光ダイオード搭載板を設けてブロック毎に位置調整可能なように構成したものである。
【００４３】
図中、前記図１、図３に示した実施例１、２と同様な構成要素には同一番号が付してあり、１０は前記したように画像読取装置の原稿を読み取るための図示していないＣＣＤ等で構成されたラインセンサへ、直接またはレンズなどを介して原稿画像を結像させる光学系における光軸、６０は実施例３の光源ユニット、６１１、６１２、６１３、６１４、６１５、６１６はその光軸１０の両側に設けられた照明用ＬＥＤ、６２はＬＥＤ６１１、６１２、６１３、６１４、６１５、６１６で照明された原稿の画像を図示していないラインセンサへ送るためにスリット調整板６３に設けられた窓で、前記したようにこの窓６２の下には、直接ラインセンサが設置されたり、反射鏡が設置されてレンズなどを介してラインセンサへ画像が送られる。
【００４４】
６４１、６４２はこのスリット調整板６３の上にＬＥＤ６１１、６１２、６１３、６１４、６１５、６１６を載置し、ネジ６５１〜６５１２でスリット調整板６３上の位置を調節できるようにされた第１と第２の発光ダイオード搭載板、２５は位置調整ピン２６１、２６２が植立されてスリット調整板６３における長孔６６１、６６２が填め込まれ、ネジ２８１、２８２によってスリット調整板６３における副走査方向への位置を調整しながら固定できるようにした基台である。
【００４５】
このうち基台２５には図示はされていないが、前記した位置調整ピン２６１、２６２以外にもスリット調整板６３に設けられた窓６２が左右に移動した場合、原稿画像をラインセンサに送り出せるように窓６２より大きく開口させた開口や、スリット調節板６３を固定するネジ２８１、２８２を螺合させるタップ孔、スリット調整板６３に搭載されている第１、第２の発光ダイオード搭載板６４１、６４２を固定するネジ６７１、６７２、６７３、６７４の先端を逃がす孔、第１、第２の発光ダイオード搭載板６４１、６４２上に固定されるＬＥＤ６１１、６１２、６１３、６１４、６１５、６１６を固定するネジ６５１〜６５１２の先端を逃がすために副走査方向を長手方向とした長孔等が設けられている。
【００４６】
またスリット調整板６３には、前記した窓６２、長孔６６１、６６２以外に、基台２５の場合と同様、第１、第２の発光ダイオード搭載板６４１、６４２に搭載するＬＥＤ６１１、６１２、６１３、６１４、６１５、６１６を固定するネジ６５１〜６５１２の先端を逃がすために副走査方向を長手方向とした長孔、及び第１、第２の発光ダイオード搭載板６４１、６４２を固定するネジ６７１、６７２、６７３、６７４を螺合させるタップ孔、及び第１、第２の発光ダイオード搭載板６４１、６４２には、ＬＥＤ６１１、６１２を固定するネジ６５１〜６５１２が螺合するタップ孔とが設けられている。
【００４７】
このように構成した光源ユニット６０は、前記図５に示したように複写したり送信したりする原稿を載置するコンタクトガラス１４の下に設けられ、コンタクトガラス１４上に白紙原稿を載置し、左右のＬＥＤ６１１、６１２により照射された白色原稿の反射光を、図示していないラインセンサで受けて前記したようにして光軸１０の位置へ達する光量（すなわち図示していないラインセンサへ達する光量）が均等になるよう調整するが、この動作は発光ダイオード６１１、６１２、６１３、６１４、６１５、６１６のブロック毎におこなわれるだけで前記実施例１、２と全く同様であるので説明は省略する。
【００４８】
以上種々述べてきたように本発明によれば、光源として発光ダイオードを用い、かつ、この発光ダイオードを、光学系の光軸を挟んでコンタクトガラスにおける光学系光軸位置で同じ照度になるよう両側に配置することで、前記したような張り合わせ原稿における端部に生じる黒い筋（影）の発生を防止することが可能となる。また、光学系光軸両側に配置した発光ダイオードは、光学系光軸に平行に一列に配置した場合と同じ照度を得るためには、単に一列の発光ダイオードを光学系光軸両側に分散して配置するだけで良く、駆動回路や制御回路は変更したり増やしたりする必要がないから、価格を上昇させることなく良好な読み取り結果が得られる画像読取装置を提供することが可能となる。
【産業上の利用可能性】
【００４９】
本発明によれば、回路や制御を複雑にすることなく、また、光源を高価にすることなく、張り合わせ原稿における端部に生じる黒い筋（影）の発生を防止できる画像読取装置を提供することができ、大きな効果をもたらすものである。
【図面の簡単な説明】
【００５０】
【図１】本発明になる画像読取装置における光源の実施例１の斜視図である。
【図２】実施例１の光源を構成する部品の分解図である。
【図３】本発明になる画像読取装置における光源の実施例２の斜視図である。
【図４】本発明になる画像読取装置における光源の実施例３の斜視図である。
【図５】本発明になる画像読取装置における光源を用いた原稿照明の状態を示した図である。
【図６】本発明になる画像読取装置における光源を用いた原稿照明の状態を示した図である。
【符号の説明】
【００５１】
１０  光軸
１１、１１１、１１２  ＬＥＤ
１２、１３  照明光
１４  コンタクトガラス
１５  原稿
１６  基準原稿
１７  その他の原稿
１８  その他の原稿の端部
２０  光源ユニット
２１  窓
２２  スリット調整板
２３１  第１の発光ダイオード搭載板
２３２  第２の発光ダイオード搭載板
２４１、２４２、２４３、２４４  ネジ
２５  基台
２６１、２６２  位置調整ピン
２７１、２７２  長孔
２８１、２８２  ネジ
２９  開口
３０１、３０２  タップ孔
３１１、３１２、３１３、３１４  ネジの先端を逃がす孔
３２１、３２２  発光ダイオードを固定するネジ
３３１、３３２  ネジの先端を逃がす長孔
３４１、３４２  ネジの先端を逃がす長孔
３５１、３５２、３５３、３５４  ネジを螺合させるタップ孔
３６１、３６２  ＬＥＤ１１１、１１２を固定するネジを螺合するタップ孔
３７１、３７２  位置調整用の長孔
３８  主走査方向
３９  副走査方向
４０１、４０２  位置調整用ピン孔
【図１】
2006178237.tif 000003
【図２】
2006178237.tif 000004
【図３】
2006178237.tif 000005
【図４】
2006178237.tif 000006
【図５】
2006178237.tif 000007
【図６】
2006178237.tif 000008